(57)【要約】【課題】竪樋を安定して保持することのできる竪樋伸縮継手と、この竪樋伸縮継手を用いた竪樋継手構造を提供すること。【解決手段】上下２本の竪樋同士３ａ、３ｂを接続する継手本体４の上筒部１４と下筒部１５とが、上下方向に伸縮可能な伸縮筒部１６により上下に接続され、上筒部、下筒部のそれぞれに外側に突出する被保持部２０、２１が配設され、建物躯体に固定される控え具２の上下方向に延びる保持筒部５の内周部に、各被保持部に対応して被保持部の厚みより縦幅の大きい、溝状の保持部２４、２５が形成され、各被保持部の外周端部が保持部に挿入され、被保持部が保持部の上下端に当接する範囲内で上筒部、下筒部が、それぞれ、控え具の保持筒部に保持された状態において、保持筒部の内部を上下に移動可能である。【選択図】図１
2009150126.tif 000002
【特許請求の範囲】
【請求項１】
上下方向に延びる保持筒部と、建物の躯体に固定可能な固定部とを備えた控え具と、控え具の保持筒部の内部において上下動可能に保持されるとともに、上下方向に伸縮可能とされた、上下に配置される２本の竪樋同士を接続する継手本体とを備えた竪樋伸縮継手であって、継手本体は、上側の竪樋の下端部に装着可能な上筒部と、下側の竪樋の上端部に装着可能な下筒部と、上筒部と下筒部とを上下に接続し、上下方向に伸縮可能な伸縮筒部とを備え、上筒部の下端外周部および下筒部の上端外周部のそれぞれに、竪樋接続時に竪樋の外側面より外側に突出する被保持部が配設され、各被保持部に対応して控え具の保持筒部の内周部に、被保持部の厚みより縦幅が大きい、溝状の保持部が形成され、各被保持部の外周端部が保持部に挿入され、被保持部が保持部の上下端に当接する範囲内で上筒部、下筒部のそれぞれが、控え具の保持筒部に保持された状態において、伸縮筒部の上下方向の伸縮をともないながら保持筒部の内部を上下に移動可能であり、上筒部および下筒部の両被保持部とともに伸縮筒部が、控え具の保持筒部の内部に隠蔽されていることを特徴とする竪樋伸縮継手。
【請求項２】
請求項１に記載の竪樋伸縮継手を用いた竪樋の継手構造であって、上側の竪樋の下端部に上筒部が装着され、下側の竪樋の上端部に下筒部が装着されて継手本体が、上下に配置された２本の竪樋同士を接続し、上筒部、下筒部のそれぞれの被保持部が、固定部において躯体に固定された控え具の保持筒部の保持部に挿入され、被保持部が保持部の上下端に当接する範囲内で上筒部、下筒部のそれぞれが、控え具の保持筒部に保持された状態において、伸縮筒部の上下方向の伸縮をともないながら保持筒部の内部を上下に移動可能とされ、継手本体は、竪樋の外気温度の変化にともなう伸縮を伸縮筒部の伸縮によって吸収し、上下２本の竪樋の接続部が控え具の保持筒部の内部に隠蔽されているとともに、竪樋が、継手本体を介して控え具の保持筒部に保持され、かつ、竪樋が、接続部においてのみ竪樋伸縮継手により建物の躯体に固定されていることを特徴とする竪樋継手構造。
【発明の詳細な説明】
【技術分野】
【０００１】
本発明は、外気温度の変化にともなう竪樋の伸縮を吸収して竪樋を上下に接続し、躯体に固定する竪樋伸縮継手と、この竪樋伸縮継手を用いた竪樋継手構造に関する。
【背景技術】
【０００２】
軒樋で受けた雨水を軒下に導き、排水するために、竪樋が軒樋に接続されるが、竪樋は建物の高さ方向に配設されるので、所定長さの複数本が上下に接続されている。上下に配置される２本の竪樋同士の接続には竪継手が使用される。また、竪樋は、建物躯体に控え金具を介して固定される。控え金具は竪樋を保持する保持部を有している。
【０００３】
このように、竪樋の配設には竪継手および控え金具が必要とされ、竪継手および控え金具はともに配設後に露出するものであり、しかも互いに異なる形状を有しているため、複数の配設およびランダムな配列と相まって建物の外観に違和感を与えていた。また、竪樋には合成樹脂製のものが汎用されており、特に合成樹脂製の竪樋は、外気温度の変化にともなって伸縮しやすいため、伸縮によって竪樋が竪継手から外れてしまうことがある。
【０００４】
このような問題を解消するために、本出願人は、伸縮自在な蛇腹状の弾性体から形成された継手本体を介して竪樋を接続するとともに、継手本体を含む接続部を被覆して隠す化粧部材を設け、化粧部材に躯体に固定する固定用穴を設けた竪樋の継手構造を提案している（特許文献１）。この竪樋の継手構造により、継手本体を含む接続部が、躯体に固定される化粧部材によって隠され、露出せず、化粧部材のみが露出するので、統一感のある外観が形成され、見栄えが向上し、伸縮自在な弾性体によって竪樋の伸縮を吸収し、竪樋が継手本体から外れるのを防止することができる。
【特許文献１】特開２０００−２４８６９７号公報
【発明の開示】
【発明が解決しようとする課題】
【０００５】
しかしながら、その後の検討により、先に提案した竪樋の継手構造には改善すべき点が見出された。それは、化粧部材における竪樋の支持についてである。
【０００６】
上記竪樋の継手構造では、継手本体が化粧部材の下側から抜けて外部に出ることがないように、継手本体の下端を化粧部材で支持するようにしている。具体的には、継手本体の下端を断面略コ字型形状で下方に開放した受け溝に形成し、この受け溝で継手本体の下方に位置している竪樋の端縁部を受けるとともに、化粧部材に支持されるようにしている。このようにすることで、継手本体は化粧部材に支持されるので、継手本体の化粧部材からの抜け外れは確かに防止される。
【０００７】
しかしながら、継手本体の伸縮可能な範囲は、継手本体の上下端が化粧部材の取付穴の開口縁に接触するまでとなっており、伸縮の自由度が比較的大きく、しかも、継手本体の伸縮が化粧部材にガイドされるようにはなっていない。継手本体により接続された上下２本の竪樋は、化粧部材の上下の取付穴の開口によって保持されているのみであり、このため、竪樋はぐらつきやすく、強風が吹くと容易にあおられるなどの懸念がある。
【０００８】
本発明は、以上の通りの事情に鑑みてなされたものであり、先に提案した竪樋の継手構造の利点である良好な施工外観および竪樋の外気温度の変化にともなう伸縮に起因する竪樋の外れの防止を実現するとともに、竪樋を安定して保持することのできる竪樋伸縮継手と、この竪樋伸縮継手を用いた竪樋継手構造を提供することを課題としている。
【課題を解決するための手段】
【０００９】
本発明は、上記の課題を解決するために、以下の特徴を有している。
【００１０】
すなわち、第１の発明は、竪樋伸縮継手に関し、上下方向に延びる保持筒部と、建物の躯体に固定可能な固定部とを備えた控え具と、控え具の保持筒部の内部において上下動可能に保持されるとともに、上下方向に伸縮可能とされた、上下に配置される２本の竪樋同士を接続する継手本体とを備えた竪樋伸縮継手であって、継手本体は、上側の竪樋の下端部に装着可能な上筒部と、下側の竪樋の上端部に装着可能な下筒部と、上筒部と下筒部とを上下に接続し、上下方向に伸縮可能な伸縮筒部とを備え、上筒部の下端外周部および下筒部の上端外周部のそれぞれに、竪樋接続時に竪樋の外側面より外側に突出する被保持部が配設され、各被保持部に対応して控え具の保持筒部の内周部に、被保持部の厚みより縦幅が大きい、溝状の保持部が形成され、各被保持部の外周端部が保持部に挿入され、被保持部が保持部の上下端に当接する範囲内で上筒部、下筒部のそれぞれが、控え具の保持筒部に保持された状態において、伸縮筒部の上下方向の伸縮をともないながら保持筒部の内部を上下に移動可能であり、上筒部および下筒部の両被保持部とともに伸縮筒部が、控え具の保持筒部の内部に隠蔽されていることを特徴としている。
【００１１】
第２の発明は、上記第１の発明の特徴を有する竪樋伸縮継手を用いた竪樋継手構造に関し、上側の竪樋の下端部に上筒部が装着され、下側の竪樋の上端部に下筒部が装着されて継手本体が、上下に配置された２本の竪樋同士を接続し、上筒部、下筒部のそれぞれの被保持部が、固定部において躯体に固定された控え具の保持筒部の保持部に挿入され、被保持部が保持部の上下端に当接する範囲内で上筒部、下筒部のそれぞれが、控え具の保持筒部に保持された状態において、伸縮筒部の上下方向の伸縮をともないながら保持筒部の内部を上下に移動可能とされ、継手本体は、竪樋の外気温度の変化にともなう伸縮を伸縮筒部の伸縮によって吸収し、上下２本の竪樋の接続部が控え具の保持筒部の内部に隠蔽されているとともに、竪樋が、継手本体を介して控え具の保持筒部に保持され、かつ、竪樋が、接続部においてのみ竪樋伸縮継手により建物の躯体に固定されていることを特徴としている。
【発明の効果】
【００１２】
上記第１の発明によれば、上下に配置される２本の竪樋同士を接続する継手本体が備える、上側の竪樋の下端部に装着可能な上筒部および下側の竪樋の上端部に装着可能な下筒部は、同じく継手本体が備える上下方向に伸縮可能な伸縮筒部により上下に接続され、上筒部については下端外周部に、下筒部については上端外周部に、それぞれ、外側に突出する被保持部が配設され、建物の躯体に固定部において固定される控え具が備える上下方向に延びる保持筒部の内周部に、各被保持部に対応して被保持部の厚みより縦幅の大きい、溝状の保持部が形成され、各被保持部の外周端部が保持部に挿入され、被保持部が保持部の上下端に当接する範囲内で上筒部、下筒部は、それぞれ、控え具の保持筒部に保持された状態において、伸縮筒部の上下方向の伸縮をともないながら保持筒部の内部を上下に移動可能であるので、上筒部および下筒部の保持筒部からの抜け外れが防止されるとともに、上下動が許容範囲内に制限され、上筒部、下筒部がそれぞれ装着され、接続される上下２本の竪樋を継手本体を介して控え具の保持筒部に安定して保持することができ、竪樋のぐらつきが十分抑えられ、強風によってあおられる恐れはほとんどない。
【００１３】
また、竪樋の外気温度の変化にともなう伸縮は、継手本体において、上筒部、下筒部をそれぞれ上下動させ、伸縮筒部により吸収されるため、竪樋が上筒部および下筒部から外れるのが防止される。さらに、上筒部および下筒部の両被保持部とともに伸縮筒部は、控え具の保持筒部の内部に隠蔽されているので、露出することがなく、竪樋伸縮継手の使用による施工外観の低下を十分抑えることができる。
【００１４】
上記第２の発明によれば、上記第１の発明の効果に加え、竪樋の接続部が露出せず、竪樋が、接続部においてのみ竪樋伸縮継手により建物の躯体に固定されているので、接続された竪樋はあたかも１本の連続する長尺物のような外観を呈し、しかも控え具の外観が統一化されることから、総じて施工外観が統一感のある見栄えの良好なものとなる。
【発明を実施するための最良の形態】
【００１５】
図１、図２は、それぞれ、本発明の竪樋伸縮継手の一実施形態を示した分解斜視図、斜視図である。
【００１６】
図１および図２に示した竪樋伸縮継手１は、建物の躯体に固定される控え具２と、上下に配置される２本の竪樋３ａ、３ｂを接続する継手本体４とを備えている。
【００１７】
控え具２は、上下方向に延びる円筒状の保持筒部５と、建物の躯体に木ねじ、釘などの固定具により固定可能な矩形板状の固定部６とを備えている。固定部６には、建物の躯体に均等かつ強固に固定されるように、幅方向の中央部において上下２箇所に、前後に貫通する円形の取付孔７が形成され、固定具の挿入をスムーズに可能としてもいる。保持筒部５と固定部６とは、両者間に配設されたアーム８によって連結一体化されている。
【００１８】
保持筒部５は、直径方向に２分割され、アーム８が外周部において接続している半部５ａに対して他の半部５ｂが、各々の半部５ａ、５ｂの近接する一端部においてヒンジ９によって接続されている。したがって、半部５ｂは、ヒンジ９を回動軸として左右方向（図１図中の矢印方向）に回動自在であり、保持筒部５は開閉自在となっている。また、半部５ｂには、ヒンジ９と反対側に位置する一端縁の外周面部に、断面略半円形状で、弾性を有する固定片１０が配設され、半部５ｂの一端縁から外側に突出している。固定片１０に対応して半部５ａのヒンジ９と反対側に位置する一端縁部の外周面に、固定片１０が嵌合可能な断面略半円形状の嵌合突起１１が突設されている。半部５ｂを回動させ、固定片１０を嵌合突起１１に弾性的に嵌合させると、保持筒部５は閉まり、円筒形状を安定して維持する。
【００１９】
このような控え具２は、合成樹脂、金属などから形成することができ、また、金属製の芯材に合成樹脂を被覆した複合材から形成することなどもできる。
【００２０】
また、控え具２については、保持筒部５を図３に示したものとすることもできる。図３に示した控え具２における保持筒部５は、図１に示した保持筒部５と同じく直径方向に２分割され、開閉自在とされているが、アーム８が外周部において接続している半部５ａと他の半部５ｂとは連結されてなく、また、半部５ｂの両側端縁側の曲率半径が半部５ａの曲率半径より大きく、半部５ｂの両側端縁部が半部５ａの両側端縁部に外側から重合して円筒状に形成されるようになっている。そして、半部５ｂの両側端縁部における高さ方向の中央部に内外を貫通し、矩形状の開口を有する取付孔１２が形成されている。取付孔１２に対応して半部５ａの両側端縁部の外周面に、取付孔１２に係合可能な鉤爪状の係合突起１３が突設されている。半部５ｂの両側端縁部を半部５ａの両側端縁部に外側から重ね合わせ、取付孔１２に係合突起１３を係合させることにより、半部５ｂは半部５ａに被着され、保持筒部５は閉まり、円筒形状を安定して維持する。
【００２１】
本発明の竪樋伸縮継手には、控え具における保持筒部の分割形式および結合方式に様々なものを適宜に採用することができる。
【００２２】
図１に示したように、継手本体４は、上側の竪樋３ａの下端部内側に装着可能な円筒状の上筒部１４と、下側の竪樋３ｂの上端部内側に装着可能な下筒部１５と、上筒部１４と下筒部１５とを上下に接続し、上下方向に伸縮可能な伸縮筒部１６とを備えている。
【００２３】
伸縮筒部１６は、本体部として蛇腹部１７を有する筒状のものであり、蛇腹部１７によって上下方向の伸縮が可能となっている。伸縮筒部１６は、たとえば、合成樹脂、ゴムなどの弾性を有する材料から形成することができる。また、伸縮筒部１６は、後述する本発明の竪樋継手構造の一実施形態を示す図４の断面図に示したように、上端部１８および下端部１９は円筒状であり、各々の外径は上筒部１４、下筒部１５の内径に略等しく、上端部１８は、上筒部１４の下端部の内部に挿入され、外周面が上筒部１４の内周面に密着するとともに、接着剤によって上筒部１４の下端部に固定されている。伸縮筒部１６の下端部１９は、下筒部１５の上端部の内部に挿入され、同じく外周面が下筒部１５の内周面に密着するとともに、接着剤によって下筒部１５の上端部に固定されている。このようにして、伸縮筒部１６は上筒部１４、下筒部１５を上下に接続し、継手本体４は上下方向に伸縮可能とされ、継手本体４において上筒部１４は、伸縮筒部１６を介して下筒部１５と連通している。
【００２４】
図１に示したように、上筒部１４および下筒部１５には、上筒部１４については下端外周部に、下筒部１５については上端外周部に、それぞれ、外側に突出する円環状の被保持部２０、２１が一体的に配設されている。被保持部２０、２１はともに、上筒部１４および下筒部１５に竪樋３ａ、３ｂが接続されたときに、竪樋３ａ、３ｂの外側面より外周端部２２、２３が外側に突出する幅を有している。
【００２５】
このような上筒部１４および下筒部１５も、控え具２と同様に、合成樹脂、金属などから形成することができ、また、金属製の芯材に合成樹脂を被覆した複合材から形成することなどもできる。
【００２６】
そして、竪樋伸縮継手１では、上筒部１４および下筒部１５に配設された各被保持部２０、２１に対応して、控え具２の保持筒部５の内周部に、被保持部２０、２１の厚みｔ１、ｔ２より縦幅ｗ１、ｗ２が大きい、溝状の保持部２４、２５が形成されている。保持部２４、２５は、保持筒部５を形成する半部５ａ、５ｂの両方の内周部に形成されている。図３に示した保持筒部５では、半部５ｂについては、半部５ａの両側端縁部に重合する両側端縁部には保持部２４、２５を省略することもできる。
【００２７】
図１および図２に示した竪樋伸縮継手１では、継手本体４の上筒部１４および下筒部１５に配設された各被保持部２０、２１の外周端部２２、２３を、控え具２の保持筒部５が開いた状態において、半部５ａに形成された対応する保持部２４、２５にそれぞれ挿入し、外周端部２２、２３の下端を保持部２４、２５の下端上に載置して上筒部１４および下筒部１５を保持筒部５の半部５ａに仮保持させた後、他の半部５ｂを回動させ、保持筒部５を閉めると、半部５ｂの内周部に形成された各保持部２４、２５にも、上筒部１４および下筒部１５の各被保持部２０、２１の外周端部２２、２３が挿入され、外周端部２２、２３の下端が保持部２４、２５の下端上に載置され、継手本体４は、控え具２の保持筒部５に保持され、継手本体４と控え具２とは竪樋伸縮継手１として一体となる。
【００２８】
竪樋伸縮継手１では、被保持部２０、２１が保持部２４、２５の上下端に当接する範囲内で上筒部１４、下筒部１５のそれぞれが、控え具２の保持筒部５に保持された状態において、伸縮筒部１６の上下方向の伸縮をともないながら保持筒部５の内部を、図２図中に矢印で示したように、上下に移動することができる。したがって、上筒部１４および下筒部１５の保持筒部５からの抜け外れが防止されるとともに、竪樋３ａ、３ｂの外気温度の変化にともなう伸縮は、継手本体４において、上筒部１４、下筒部１５をそれぞれ上下動させ、伸縮筒部１６で吸収することができ、竪樋３ａ、３ｂが上筒部１４および下筒部１５から外れるのが防止される。しかも、継手本体４における上筒部１４および下筒部１５の上下動は、被保持部２０、２１が保持部２４、２５の上下端に当接する範囲内（この範囲は、竪樋３ａ、３ｂの伸縮を吸収するのに許容される範囲であり、竪樋３ａ、３ｂを形成する材料の熱膨張率、熱収縮率などに応じて適宜設定されるものである）に制限されるため、上筒部１４、下筒部１５にそれぞれ連結され、接続される上下２本の竪樋３ａ、３ｂを継手本体４を介して控え具２の保持筒部５に安定して保持することができ、竪樋３ａ、３ｂのぐらつきが十分抑えられ、強風によってあおられる恐れはほとんどない。竪樋３ａの下端部外周面および竪樋３ｂの上端部外周面を保持筒部５の内周面に摺接させることも可能であり、この場合は、さらに竪樋３ａ、３ｂのぐらつきを抑えることができる。
【００２９】
また、上筒部１４および下筒部１５の両被保持部２０、２１とともに伸縮筒部１６は、控え具２の保持筒部５の内部に隠蔽されているので、露出することがなく、竪樋伸縮継手１の使用による施工外観の低下を十分抑えることができる。さらに、上筒部１４および下筒部１５は、竪樋３ａ、３ｂの内側に装着されるので、施工状態において上筒部１４および下筒部１５はともに露出せず、施工外観の向上により一層寄与する。
【００３０】
なお、図３に示した控え具２を備えた竪樋伸縮継手１では、図１および図２に示した竪樋伸縮継手１と、継手本体４と控え具２とを一体化する操作において半部５ｂの取付けに上記した通りの若干の相違があるが、図３に示した控え具２を備えた竪樋伸縮継手１も、図１および図２に示した竪樋伸縮継手１と全く同様な効果を奏する。
【００３１】
また、竪樋伸縮継手１における控え具２の保持筒部５の形状ならびに継手本体４の上筒部１４、下筒部１５および伸縮筒部１６の形状は、竪樋３ａ、３ｂの形状に対応させることができ、竪樋３ａ、３ｂが丸樋であれば、上記の通りの円筒状とし、角樋であれば、その外周および内周形状に応じた角筒状とすることができる。継手本体４の被保持部２０、２１の形状は、控え具２の保持筒部５の形状に対応させて決めることができる。
【００３２】
図４は、図１および図２に示した竪樋伸縮継手１および図３に示した控え具２を備えた竪樋伸縮継手１に共通する、本発明の竪樋継手構造の一実施形態を示した断面図である。
【００３３】
図４に示した竪樋継手構造では、竪樋伸縮継手１が備える継手本体４の上筒部１４が上側の竪樋３ａの下端部に装着され、下筒部１５が下側の竪樋３ｂの上端部に装着され、継手本体４が、上下に配置された２本の竪樋３ａ、３ｂ同士を接続している。竪樋３ａの下端は、上筒部１４の下端外周部に配設された被保持部２０の上端に当接または近接し、竪樋３ｂの上端は、下筒部１５の上端外周部に配設された被保持部２１の下端に当接または近接し、両被保持部２０、２１の外周端部２２、２３は、竪樋３ａ、３ｂの外周面から外側に突出している。
【００３４】
控え具２は、固定部６の後面を建物２６の躯体２７の表面に当接させて、前面側より木ねじ２８を取付孔７を通じて躯体２７にねじ込むことによって固定されている。控え具２の固定に用いることのできる固定具は木ねじ２８に制限されず、釘などの適宜なものが選択される。
【００３５】
上下２本の竪樋３ａ、３ｂを接続している継手本体４は、建物２６の躯体２７に固定された控え具２の保持筒部５の内部において上下動可能に保持されるとともに、上下方向に伸縮可能とされている。
【００３６】
すなわち、継手本体４の上筒部１４および下筒部１５に配設された各被保持部２０、２１が、竪樋３ａ、３ｂの外周面から外側に突出する外周端部２２、２３において、控え具２が備える保持筒部５の内周部に形成された、対応する保持部２４、２５にそれぞれ挿入されている。したがって、上筒部１４、下筒部１５は、それぞれ、被保持部２０、２１が保持部２４、２５の上下端に当接する範囲内で、保持筒部５に保持された状態において、伸縮筒部１６の上下方向の伸縮をともないながら保持筒部５の内部を上下に移動可能とされている。こうして、継手本体４は、控え具２の保持筒部５の内部で保持され、また、控え具２の保持筒部５の内部で上下動可能であり、伸縮可能となっている。継手本体４は、竪樋３ａ、３ｂの外気温度の変化にともなう伸縮を伸縮筒部１６の伸縮によって吸収することができ、竪樋３ａ、３ｂが上筒部１４および下筒部１５から外れるのが防止される。しかも、継手本体４における上筒部１４および下筒部１５の上下動は、被保持部２０、２１が保持部２４、２５の上下端に当接する範囲内（この範囲は、竪樋３ａ、３ｂの伸縮を吸収するのに許容される範囲であり、竪樋３ａ、３ｂを形成する材料の熱膨張率、熱収縮率などに応じて適宜設定されるものである）に制限されるため、上筒部１４、下筒部１５にそれぞれ連結され、接続される上下２本の竪樋３ａ、３ｂが、継手本体４を介して控え具２の保持筒部５に安定して保持され、竪樋３ａ、３ｂのぐらつきが十分抑えられ、強風によってあおられる恐れはほとんどない。竪樋３ａの下端部外周面および竪樋３ｂの上端部外周面を保持筒部５の内周面に摺接させることも可能であり、この場合は、さらに竪樋３ａ、３ｂのぐらつきを抑えることができる。
【００３７】
また、上下に配置される２本の竪樋３ａ、３ｂの接続部、すなわち、上筒部１４および下筒部１５の両被保持部２０、２１とともに上側の竪樋３ａの下端部および下側の竪樋３ｂの上端部ならびに伸縮筒部１６が、控え具２の保持筒部５の内部に隠蔽されているので、露出することがなく、竪樋伸縮継手１の使用による施工外観の低下を十分抑えることができる。さらに、上筒部１４および下筒部１５は、竪樋３ａ、３ｂの内側に装着されるので、施工状態において上筒部１４および下筒部１５はともに露出せず、施工外観の向上により一層寄与する。接続された竪樋３ａ、３ｂは、あたかも１本の連続する長尺物のような外観を呈する。
【００３８】
その上、図４に示した竪樋継手構造では、竪樋３ａ、３ｂは、上記接続部においてのみ竪樋伸縮継手１によって、建物２６の躯体２７から控え具２のアーム８の長さ分離れて配置されて、建物２６の躯体２７に固定されてもいる。控え具２の外観が統一化されることから、総じて施工外観が統一感のある見栄えの良好なものとなる。
【００３９】
なお、継手本体４によって接続された上下２本の竪樋３ａ、３ｂは、継手本体４において上筒部１４および下筒部１５は伸縮筒部１６を介して連通しているので、上下に連通し、雨水などのスムーズな排水を実現する。
【００４０】
図４に示した竪樋継手構造により竪樋３ａ、３ｂを接続し、建物２６の躯体２７に固定する際の施工手順としては、上下２本の竪樋３ａ、３ｂを継手本体４を用いて接続し、接続部に対応する建物２６の躯体２７に控え具２を木ねじ２８、釘などの固定具を用いて固定し、控え具２の保持筒部５を開き、継手本体４の上筒部１４および下筒部１５に配設された各被保持部２０、２１の外周端部２２、２３を保持筒部５の半部５ａに形成された対応する保持部２４、２５に挿入した後、半部５ｂにより保持筒部５を閉じるという手順が例示される。竪樋伸縮継手１を用いた竪樋継手構造の採用によって施工が複雑化したり、煩雑となったりすることはない。
【００４１】
なお、継手本体４による竪樋３ａ、３ｂの接続、控え具２の建物２６の躯体２７への固定の順序はどちらが先行しても構わない。
【図面の簡単な説明】
【００４２】
【図１】本発明の竪樋伸縮継手の一実施形態を示した分解斜視図である。
【図２】図１に示した竪樋伸縮継手の斜視図である。
【図３】本発明の竪樋伸縮継手の一実施形態における控え具を示した分解斜視図である。
【図４】本発明の竪樋継手構造の一実施形態を示した要部断面図である。
【符号の説明】
【００４３】
１  竪樋伸縮継手
２  控え具
３ａ、３ｂ  竪樋
４  継手本体
５  保持筒部
６  固定部
１４  上筒部
１５  下筒部
１６  伸縮筒部
２０、２１  被保持部
２２、２３  外周端部
２４、２５  保持部
２６  建物
２７  躯体
【図１】
2009150126.tif 000003
【図２】
2009150126.tif 000004
【図３】
2009150126.tif 000005
【図４】
2009150126.tif 000006